(57)【要約】      （修正有）【課題】洗剤、薬液又は美容液などを入れる容器に用いられるディスペンサーカバーを提供する。【解決手段】キャップと、吸引部と、ヘッドとを備え、前記キャップは、容器の開口に取り付けるための取付部を有し、該取付部の底面に取付凹部が形成されると共に、上面の中央に吸引部を取り付けるための貫通孔が形成され、該貫通孔に取付凹部まで下向くの連接部が設けられ、該キャップが取付凹部を介して容器の開口に取り付けられ、前記ヘッドは、底部にキャップの取付部に取付けるための連接凹部が形成され、上面に少なくとも一つの出液孔を有する収容凹部が形成され、該出液孔の下部に下向くの接続パイプが設けられ、該ヘッドの一側に収容凹部に覆う可能な蓋が設けられることを特徴とする。【選択図】図１
0003121097.tif 000002
【実用新案登録請求の範囲】
【請求項１】
キャップと、吸引部と、ヘッドとを備え、
前記キャップは、容器の開口に取り付けるための取付部を有し、該取付部の底面に取付凹部が形成されると共に、上面の中央に吸引部を取り付けるための貫通孔が形成され、該貫通孔に取付凹部まで下向くの連接部が設けられ、該キャップが取付凹部を介して容器の開口に取り付けられ、
前記ヘッドは、底部にキャップの取付部に取付けるための連接凹部が形成され、上面に少なくとも一つの出液孔を有する収容凹部が形成され、該出液孔の下部に下向くの接続パイプが設けられ、該ヘッドの一側に収容凹部に覆う可能な蓋が設けられることを特徴とするディスペンサーカバー。
【請求項２】
前記キャップにおける取付部の外側に少なくとも一つの位置決めプレートが設けられ、該ヘッドにおける連接凹部に少なくとも一つの係合凹部が形成されると共に、該係合凹部の一側に係合歯部が設けられ、該キャップの底縁に水平の下プレートが設けられると共に、該下プレートの周縁に上向くの外壁が設けられることにより、取付部と外壁との間にヘッドを収容するためにリング状の空間が形成され、又、位置決めプレートと外壁との間に所定の隙間が形成され、該取付凹部の内側に容器の開口に取り付けるためのねじ山が形成され、
前記吸引部は、該キャップの連接部と連接され、貫通孔に貫通する出液部と、容器内まで伸びる誘導パイプとを有することを特徴とする請求項１に記載のディスペンサーカバー。
【請求項３】
前記蓋の一側にヘッドと連接する弾性プレートが設けられることを特徴とする請求項１又は２に記載のディスペンサーカバー。
【考案の詳細な説明】
【技術分野】
【０００１】
本考案は、特に洗剤、薬液又は美容液などを入れる容器に用いられるディスペンサーカバーに関するものである。
【背景技術】
【０００２】
従来の洗剤、薬液又は美容液などを入れる容器は、上部に取付けるディスペンサーカバーによって内部に収容される液体を吸引して出すことにより、一般によく使用されている。
【０００３】
前記ディスペンサーカバーを使用する時は、必ず片手でディスペンサーカバーのヘッド部を押圧しながら、他の手で出された液体を取るので、非常に不便である。又、出された液体がきちんと取れない場合、洗剤、薬液又は美容液などの液体を無駄に流失してしまうという問題があった。
【０００４】
前記問題を解決するため、その後、ディスペンサーカバーの改良が行われた。この改良されたディスペンサーカバーは、ヘッド部の上面に出液孔を有する皿部が設けられ、該皿部を押圧すると共に、ヘッド部内に於けるピストンを連動することにより、液体が皿部に流れ込む構造となっている。
【考案の開示】
【考案が解決しようとする課題】
【０００５】
しかしながら、前記皿部を有するヘッド部は、液体を収容する皿部の面積が小さすぎ、更にヘッド部を押圧する際、設計不良によって液体が出にくいという問題があった。
【０００６】
そこで、案出されたのが本考案であって、洗剤、薬液又は美容液などを入れる容器に用いられるディスペンサーカバーを提供することを目的としている。
【課題を解決するための手段】
【０００７】
本願の請求項１の考案は、キャップと、吸引部と、ヘッドとを備え、
前記キャップは、容器の開口に取り付けるための取付部を有し、該取付部の底面に取付凹部が形成されると共に、上面の中央に吸引部を取り付けるための貫通孔が形成され、該貫通孔に取付凹部まで下向くの連接部が設けられ、該キャップが取付凹部を介して容器の開口に取り付けられ、
前記ヘッドは、底部にキャップの取付部に取付けるための連接凹部が形成され、上面に少なくとも一つの出液孔を有する収容凹部が形成され、該出液孔の下部に下向くの接続パイプが設けられ、該ヘッドの一側に収容凹部に覆う可能な蓋が設けられることを特徴とするディスペンサーカバー、を提供する。
【０００８】
本願の請求項２の考案は、前記キャップにおける取付部の外側に少なくとも一つの位置決めプレートが設けられ、該ヘッドにおける連接凹部に少なくとも一つの係合凹部が形成されると共に、該係合凹部の一側に係合歯部が設けられ、該キャップの底縁に水平の下プレートが設けられると共に、該下プレートの周縁に上向くの外壁が設けられることにより、取付部と外壁との間にヘッドを収容するためにリング状の空間が形成され、又、位置決めプレートと外壁との間に所定の隙間が形成され、該取付凹部の内側に容器の開口に取り付けるためのねじ山が形成され、
前記吸引部は、該キャップの連接部と連接され、貫通孔に貫通する出液部と、容器内まで伸びる誘導パイプとを有することを特徴とする請求項１に記載のディスペンサーカバー、を提供する。
【０００９】
本願の請求項３の考案は、前記蓋の一側にヘッドと連接する弾性プレートが設けられることを特徴とする請求項１又は２に記載のディスペンサーカバー、を提供する。
【考案の効果】
【００１０】
本考案は上記の課題を解決するものであり、ヘッドに大面積を有する収容凹部が形成され、互いに係脱可能のキャップとヘッドにより、ヘッドの押圧を制御するので、液体の取り扱いの利便性を高めることができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係るディスペンサーカバーを示す分解斜視図であり、図２は本考案に係るディスペンサーカバーを示す断面図であり、図３は本考案に係るディスペンサーカバーを示す平面図であり、図４は本考案に係るディスペンサーカバーの使用状態を示す断面図であり、図５は本考案に係るディスペンサーカバーにおけるヘッドを固定する状態を示す断面図であり、図６は本考案に係るディスペンサーカバーにおけるヘッドを固定する状態を示す平面図である。
【００１３】
図１乃至図３に示すように、本考案に係るディスペンサーカバー（１）は、キャップ（１０）と、吸引部（２０）と、ヘッド（３０）とを備え、該キャップ（１０）は、取付部（１１）を有し、該取付部（１１）の底面に取付凹部（１２）が形成されると共に、上面の中央に貫通孔（１３）が形成され、該貫通孔（１３）に取付凹部（１２）まで下向くの連接部（１４）が設けられ、該キャップ（１０）が取付凹部（１２）を介して容器（２）の開口に取り付けられ、該取付凹部（１２）の内側に容器（２）の開口に取り付けるためのねじ山が形成される。
【００１４】
前記吸引部（２０）は、該キャップ（１０）の連接部（１４）と連接され、貫通孔（１３）に貫通する出液部（２１）と、容器（２）内まで伸びる誘導パイプ（２２）とを有する。
【００１５】
前記ヘッド（３０）は、底部にキャップ（１０）の取付部（１１）に取付けるための連接凹部（３１）が形成され、上面に少なくとも一つの出液孔（３３）を有する収容凹部（３２）が形成され、該出液孔（３３）の下部に出液部（２１）と連接するために下向くの接続パイプ（３４）が設けられ、該ヘッド（３０）の一側に収容凹部（３２）に覆う可能な蓋（３５）が設けられ、該蓋（３５）とヘッド（３０）は、一体形成され、或いは互いに枢設されても良く、本実施例の蓋（３５）とヘッド（３０）について、蓋（３５）の一側にヘッド（３０）と連接する弾性プレート（３６）が設けられる。
【００１６】
又、前記キャップ（１０）における取付部（１１）の外側に少なくとも一つの位置決めプレート（１５）が設けられ、該ヘッド（３０）における連接凹部（３１）に少なくとも一つの係合凹部（３７）が形成されると共に、該係合凹部（３７）の一側に係合歯部（３８）が設けられ、ヘッド（３０）を回転すると、位置決めプレート（１５）が係合歯部（３８）を介して係合凹部（３７）に係止されることにより、ヘッド部（３０）の押圧を不可能とする。
【００１７】
又、前記キャップ（１０）とヘッド（３０）は、シリンダー状であり、該キャップ（１０）の底縁に水平の下プレート（１６）が設けられると共に、該下プレート（１６）の周縁に上向くの外壁（１７）が設けられることにより、取付部（１１）と外壁（１７）との間にヘッド（３０）を収容するためにリング状の空間が形成され、又、位置決めプレートと外壁（１７）との間に所定の隙間が形成される。
【００１８】
本考案のディスペンサーカバー（１）を容器（２）に用いる際、先ず蓋（３５）を開け、収容凹部（３２）を下方へ押圧することにより、容器（２）の内部に収容する液体が誘導パイプ（２２）、出液部（２１）、接続パイプ（３４）及び出液孔（３３）を介して収容凹部（３２）に流れるので、使用者は簡単に収容凹部（３２）に盛る液体を使用することができる。
【００１９】
又、図５及び図６に示すように、液体を使用しない場合、該蓋（３５）が収容凹部（３２）に覆い、ヘッド（３０）をキャップ（１０）に対して回転させ、キャップ（１０）における位置決めプレート（１５）が係合歯部（３８）を介して係合凹部（３７）に係止することにより、ヘッド（３０）を再び押圧できない。
【産業上の利用可能性】
【００２０】
本考案は上記の構成を有すし、ヘッドに大面積を有する収容凹部が形成され、互いに係脱可能のキャップとヘッドにより、ヘッドの押圧を制御するので、液体の取り扱いの利便性を高めることができる。
【図面の簡単な説明】
【００２１】
【図１】本考案に係るディスペンサーカバーを示す分解斜視図である。
【図２】本考案に係るディスペンサーカバーを示す断面図である。
【図３】本考案に係るディスペンサーカバーを示す平面図である。
【図４】本考案に係るディスペンサーカバーの使用状態を示す断面図である。
【図５】本考案に係るディスペンサーカバーにおけるヘッドを固定する状態を示す断面図である。
【図６】本考案に係るディスペンサーカバーにおけるヘッドを固定する状態を示す平面図である。
【符号の説明】
【００２２】
１    ディスペンサーカバー
２    容器
１０  キャップ
１１  取付部
１２  取付凹部
１３  貫通孔
１４  連接部
１５  位置決めプレート
１６  下プレート
１７  外壁
２０  吸引部
２１  出液部
２２  誘導パイプ
３０  ヘッド
３１  連接凹部
３２  収容凹部
３３  出液孔
３４  接続パイプ
３５  蓋
３６  弾性プレート
３７  係合凹部
３８  係合歯部
【図１】
0003121097.tif 000003
【図２】
0003121097.tif 000004
【図３】
0003121097.tif 000005
【図４】
0003121097.tif 000006
【図５】
0003121097.tif 000007
【図６】
0003121097.tif 000008